(57)【要約】  本発明は、通信システムにおいてユーザ機器（ＵＥ）のための複数のスケジューリング要求トリガ（ＳＲＴ）を構成するための方法及び装置を提供する。第１に、基地局（ＢＳ）が、ＵＥのサービスのサービス特性に基づき、複数のＳＲＴ及びＵＥの為の複数のＳＲＴの各々の伝送タイプを判定し、次いで、ＢＳが、複数のＳＲＴの構成情報をＵＥに送信し、複数のＳＲＴの構成情報は、ＵＥのサービスに関する複数のＳＲＴの割当て方法、および、複数のＳＲＴの各々の伝送タイプを含む。ＵＥは、第１に、ＢＳから構成情報を受信する。その後、ＵＥは、送信されることになる現在のサービスのサービス特性およびその割当て方法に基づいて、現在のサービスに対応するＳＲＴを選択し、ＳＲＴに対応する伝送タイプを介して、トリガされたスケジューリング要求を送信する。本発明の技術的解決法を適用することによって、効率的な無線リソース利用が達成され得る。
2015514344.tif 000002
【特許請求の範囲】
【請求項１】
通信システムの基地局においてユーザ機器のための複数のスケジューリング要求トリガを構成する方法であって、
ａ．複数のスケジューリング要求トリガおよび前記ユーザ機器のための前記複数のスケジューリング要求トリガの各々の伝送タイプを、前記ユーザ機器のサービスのサービス特性に基づいて、判定するステップと、
ｂ．前記複数のスケジューリング要求トリガの構成情報を前記ユーザ機器に送信するステップであって、前記複数のスケジューリング要求トリガの前記構成情報が、前記ユーザ機器の前記サービスに関する前記複数のスケジューリング要求トリガの割当て方法、および、前記複数のスケジューリング要求トリガの各々の前記伝送タイプを含む、送信するステップと、
を含む、方法。
【請求項２】
前記ユーザ機器の前記サービスの前記サービス特性が、
−  前記ユーザ機器のベアラのＱｏＳ、
−  論理チャネルのグループ、
−  異なるタイプのバッファ状況報告、
−  実行中のアプリケーションの特性、
のうちのいずれか１つによって特徴付けられる、請求項１に記載の方法。
【請求項３】
前記複数のスケジューリング要求トリガの各々の前記伝送タイプが、前記スケジューリング要求トリガに対応する前記サービスの優先度に基づいて判定される、請求項１に記載の方法。
【請求項４】
前記伝送タイプが、
−  ＲＡＣＨでの伝送、
−  専用のスケジューリング要求リソースでの伝送、
のうちのいずれか１つである、請求項３に記載の方法。
【請求項５】
前記ユーザ機器の１つのサービスがバックグラウンド・アプリケーションによって生成されたサービスであるときに、バックグラウンド・アプリケーションによって生成された前記サービスに対応する前記スケジューリング要求トリガが、長い周期性を有する専用のスケジューリング要求リソースで送信されるように構成され、一方、前記複数のスケジューリング要求トリガのうちのその他のスケジューリング要求トリガが、異なるＲＡＣＨ構成を有するＲＡＣＨで送信されるように構成される、請求項４に記載の方法。
【請求項６】
前記ユーザ機器の１つのサービスがバックグラウンド・アプリケーションによって生成されたサービスであるときに、すべての前記複数のスケジューリング要求トリガが、異なるＲＡＣＨ構成を有するＲＡＣＨで送信されるように構成される、請求項４に記載の方法。
【請求項７】
前記伝送タイプがＲＡＣＨでの伝送であるときに、前記伝送タイプがＲＡＣＨ構成を含み、そして、前記ＲＡＣＨ構成がＰＲＡＣＨの物理リソースを含む、請求項４に記載の方法。
【請求項８】
ＰＲＡＣＨに割り当てられた前記物理リソースが、
−  ＲＡＣＨの時間リソースおよび周期性、
−  ＲＡＣＨのプリアンブルのグループ、
のうちのいずれか１つを備える、請求項７に記載の方法。
【請求項９】
前記構成情報が、専用のＲＲＣ信号伝達またはブロードキャスト信号伝達を介して送信される、請求項１に記載の方法。
【請求項１０】
前記ユーザ機器が、ＲＲＣ接続されたユーザ機器である、請求項１に記載の方法。
【請求項１１】
前記通信システムが、ＬＴＥ通信システムである、請求項１に記載の方法。
【請求項１２】
通信システムのユーザ機器において、基地局から複数のスケジューリング要求トリガに関連する構成情報を受信する方法であって、
ｉ．前記基地局から複数のスケジューリング要求に関連する構成情報を受信するステップであって、前記構成情報が、前記ユーザ機器のサービスに関する前記複数のスケジューリング要求トリガの割当て方法、および、前記複数のスケジューリング要求トリガの各々の伝送タイプを含む、受信するステップ、
を含む、方法。
【請求項１３】
ｉｉ．送信されることになる現在のサービスのサービス特性および前記割当て方法に基づいて、前記現在のサービスに対応するスケジューリング要求トリガを選択するステップと、
ｉｉｉ．トリガされたスケジューリング要求を前記スケジューリング要求トリガに対応する伝送タイプを介して送信するステップと、
をさらに含む、請求項１２に記載の方法。
【請求項１４】
複数のトリガされたスケジューリング要求を処理する方法であって、
より高い優先度のスケジューリング要求がトリガされるときに、より低い優先度のスケジューリング要求のトリガをキャンセルするステップ、
を含む、方法。
【請求項１５】
複数のトリガされたスケジューリング要求を処理する方法であって、
ＲＡＣＨでのより低い優先度のトリガされたスケジューリング要求の送信を継続するステップ、
または、
より高い優先度のトリガされたスケジューリング要求の送信が開始されるときに、ＲＡＣＨでのより低い優先度のトリガされたスケジューリング要求の送信をキャンセルするステップ、
を含む、方法。
【請求項１６】
通信システムの基地局において、ユーザ機器のための複数のスケジューリング要求トリガを構成するための装置であって、
前記ユーザ機器のサービスのサービス特性に基づいて、複数のスケジューリング要求トリガおよび前記ユーザ機器のための前記複数のスケジューリング要求トリガの各々の伝送タイプを判定するための第１のユニットと、
前記複数のスケジューリング要求トリガの構成情報を前記ユーザ機器に送信するための第２のユニットであって、前記複数のスケジューリング要求トリガの前記構成情報が、前記ユーザ機器の前記サービスに関する前記複数のスケジューリング要求トリガの割当て方法、および、前記複数のスケジューリング要求トリガの各々の前記伝送タイプを含む、第２のユニットと、
を備える、装置。
【発明の詳細な説明】
【技術分野】
【０００１】
本願は、ＬＴＥ通信システムに関し、詳細には、ＬＴＥ通信システムにおける複数のスケジューリング要求トリガの構成に関する。
【背景技術】
【０００２】
現在のスケジューリング要求（ＳＲ）手続きは、スケジューリング要求がユーザ機器（ＵＥ）ごとに起動されるように設計される。ＵＥごとに同時に可能なスケジューリング要求は１つのみ存在する。バッファ状況報告（ＢＳＲ）が、バッファ内でデータの到達によりトリガされ、トリガされたＢＳＲの送信のためのアップリンク（ＵＬ）リソースが存在しない場合、スケジューリング要求がトリガされる。現行の３ＧＰＰ仕様によれば、ＲＲＣ接続モードＵＥによるスケジューリング要求の送信には２つの可能性が存在する。即ち、専用のスケジューリング要求リソース（Ｄ−ＳＲ）が構成される場合には専用のスケジューリング要求リソースで、または、そのＵＥのために構成されたＤ−ＳＲがない場合にはＲＡＣＨで、のいずれかである。１タイプのみのＳＲ伝送が、同時に考慮され得る。
【０００３】
ＵＥごとに１つのＳＲを考慮し、ＵＥのサービスのサービス特性は、ＳＲトリガに反映されない。たとえば、１種類のサービスが非常に低い待ち時間要件を有する場合、このサービスのデータ到達によるＳＲトリガは緩和され得る。他方で、厳しい待ち時間要件を有するサービスは、ＳＲの緊急のトリガリングを必要とすることになる。
【０００４】
したがって、ＵＥのサービスのサービス特性に基づいてＵＥの複数のスケジューリング要求トリガを構成することが望ましいであろう。
【発明の概要】
【０００５】
本発明の一態様で、通信システムの基地局においてユーザ機器のための複数のスケジューリング要求トリガを構成する方法が提供され、本方法は、以下のステップ、即ち、そのユーザ機器のサービスのサービス特性に基づいて、複数のスケジューリング要求トリガおよびそのユーザ機器のためのそれらの複数のスケジューリング要求トリガの各々の伝送タイプを判定するステップと、それらの複数のスケジューリング要求トリガの構成情報をそのユーザ機器に送信するステップであって、それらの複数のスケジューリング要求トリガの構成情報が、そのユーザ機器のサービスに関するそれらの複数のスケジューリング要求トリガの割当て方法、および、それらの複数のスケジューリング要求トリガの各々の伝送タイプを含む、ステップと、を含む。
【０００６】
有利には、ユーザ機器のサービスのサービス特性は、以下のうちのいずれか１つ、即ち、
−  ユーザ機器のベアラのＱｏＳ、
−  論理チャネルのグループ、
−  異なるタイプのバッファ状況報告、
−  実行中のアプリケーションの特性、
のうちのいずれか１つによって特徴付けられ得る。
【０００７】
有利には、それらの複数のスケジューリング要求トリガの各々の伝送タイプは、そのスケジューリング要求トリガに対応するサービスの優先度に基づいて、判定される。
【０００８】
有利には、その伝送タイプは、以下のうちのいずれか１つ、即ち、
−  ＲＡＣＨでの伝送、
−  専用のスケジューリング要求リソースでの伝送、
のうちのいずれか１つでもよい。
【０００９】
本発明のもう１つの態様では、通信システムのユーザ機器で基地局から複数のスケジューリング要求トリガに関連する構成情報を受信する方法が提供され、本方法は、以下のステップを含む。即ち、複数のスケジューリング要求に関連する構成情報を基地局から受信するステップであって、その構成情報が、そのユーザ機器のサービスに関するそれらの複数のスケジューリング要求トリガの割当て方法、および、それらの複数のスケジューリング要求トリガの各々の伝送タイプを含む、ステップ、を含む。
【００１０】
有利には、前述の方法は、以下のステップをさらに含み得る。即ち、送信されることになる現在のサービスのサービス特性および割当て方法に基づいて、その現在のサービスに対応するスケジューリング要求トリガを選択するステップと、そのトリガされたスケジューリング要求をそのスケジューリング要求トリガに対応する伝送タイプを介して送信するステップと、をさらに含み得る。
【００１１】
本発明のもう１つの態様では、複数のトリガされたスケジューリング要求を処理する方法が提供され、本方法は、以下のステップを含む。即ち、より高い優先度のスケジューリング要求がトリガされるときに、より低い優先度のスケジューリング要求のトリガをキャンセルするステップ、を含む。
【００１２】
本発明のもう１つの態様では、複数のトリガされたスケジューリング要求を処理する方法が提供され、本方法は、以下のステップを含む。即ち、ＲＡＣＨでより低い優先度のトリガされたスケジューリング要求の送信を継続するステップ、または、トリガされたより高い優先度のスケジューリング要求の送信が開始されるときに、ＲＡＣＨでのより低い優先度のトリガされたスケジューリング要求の送信をキャンセルするステップ、を含む。
【００１３】
本発明のもう１つの態様では、通信システムの基地局においてユーザ機器のための複数のスケジューリング要求トリガを構成するための装置が提供され、本装置は、以下を備える。即ち、そのユーザ機器のサービスのサービス特性に基づいて、複数のスケジューリング要求トリガおよびそのユーザ機器のためのそれらの複数のスケジューリング要求トリガの各々の伝送タイプを判定するための第１のユニットと、そのユーザ機器にそれらの複数のスケジューリング要求トリガの構成情報を送信するための第２のユニットであって、その複数のスケジューリング要求トリガの構成情報が、そのユーザ機器のサービスに関するそれらの複数のスケジューリング要求トリガの割当て方法、および、それらの複数のスケジューリング要求トリガの各々の伝送タイプを含む、第２のユニットと、を備える。
【００１４】
本発明の技術的解決法を適用することによって、効率的な無線リソース利用が達成され得る。
【００１５】
本発明は、以下のような添付の図面を参照して、さらに詳細に、例として、説明される。
【図面の簡単な説明】
【００１６】
【図１】通信システムにおいてユーザ機器のための複数のスケジューリング要求トリガを構成する方法の流れ図である。
【発明を実施するための形態】
【００１７】
前述の図面を通して、同様の参照番号は、類似の、同様のまたは対応する特徴または機能を指すことが理解されよう。
【００１８】
以下で、本発明の前述の第１の態様の技術的解決法および本発明の前述の第２の態様の技術的解決法が、それぞれ、より詳細に説明される。
【００１９】
モバイル・ネットワークで実行されるアプリケーションの範囲は拡大しており、これらのアプリケーションは、様々なサービス特性を有し得る。これらのアプリケーションは、非常に稀にデータを生成するのみのバックグラウンド・アプリケーションを備えることがあり、そのバックグラウンド・アプリケーションによって生成されるデータの送信に緊急性の要求はない。加えて、これらのアプリケーションは、高い優先度のデータを生成し得る他のアプリケーションをさらに備え得る。したがって、これらの異なるアプリケーション、すなわち異なるサービス、のために異なるスケジューリング要求トリガを構成する必要がある。
【００２０】
図１は、通信システムにおいてユーザ機器のための複数のスケジューリング要求トリガを構成する方法の流れ図である。本通信システムは、たとえば、ＬＴＥ通信システムでもよい。
【００２１】
図１を参照すると、第１に、ステップＳ１１で、基地局１０（ＢＳ１０）が、ユーザ機器２０（ＵＥ２０）のサービスのサービス特性に基づいて、ＵＥ２０の複数のスケジューリング要求トリガおよびそれらの複数のスケジューリング要求トリガの各々の伝送タイプを判定する。
【００２２】
ＵＥ２０は、たとえば、ＲＲＣ接続されたＵＥでもよい。
【００２３】
ＵＥ２０のサービスのサービス特性は、以下のうちのいずれか１つによって特徴付けられ得る。即ち、
−  そのユーザ機器のベアラのＱｏＳ、
−  論理チャネルのグループ、
−  異なるタイプのバッファ状況報告、
−  実行中のアプリケーションの特性、
のうちのいずれか１つによって特徴付けられ得る。
【００２４】
それらの複数のスケジューリング要求トリガの各々の伝送タイプは、そのスケジューリング要求トリガに対応するサービスの優先度に基づいて、判定され得る。
【００２５】
次に、ステップＳ１２で、ＢＳ１０が、それらの複数のスケジューリング要求トリガの構成情報をＵＥ２０に送信する。その構成情報は、ＵＥ２０のサービスに関するそれらの複数のスケジューリング要求トリガの割当て方法およびそれらの複数のスケジューリング要求トリガの各々の伝送タイプを含む。
【００２６】
一実施形態で、専用のＲＲＣ信号伝達が、構成情報をＵＥ２０に送信するために使用され得る。もう１つの実施形態で、ブロードキャスト信号伝達が、構成情報をＵＥ２０に通信するために使用され得る。
【００２７】
次いで、ステップＳ１３で、ＵＥ２０が、ＢＳ１０から構成情報を受信する。
【００２８】
その後、１つのサービス（すなわち、現在のサービス）のいくらかのデータがＵＬバッファに到達し、ＢＳＲを送信するために使用可能なＵＬリソースが存在しない場合、ＵＥ２０は、先ず、現在のサービスのサービス特性およびＵＥ２０のサービスに関するそれらの複数のスケジューリング要求トリガの割当て方法に基づいて、現在のサービスに対応するスケジューリング要求トリガを選択し、次いで、選択されたスケジューリング要求トリガに対応する伝送タイプを介してトリガされたスケジューリング要求を送信する。
【００２９】
いつＵＥ２０の複数のスケジューリング要求トリガを構成するかは、ネットワーク実装次第である。１つの起こり得る例は、ネットワークが、ＵＥ２０のネットワークで擬似休眠状態タイマーを実行し得ることである。擬似休眠状態タイマーによって定義される周期のバックグラウンド・トラフィックから生成されたもの以外のユーザ・プレーン・データ（Ｕｓｅｒ  Ｐｌａｎｅ  Ｄａｔａ）が存在しない場合、そのネットワークは、ＵＥ２０の複数のスケジューリング要求トリガを構成することができる。
【００３０】
ＳＲトリガは、高優先度ベアラからのトラフィックの欠乏、高優先度ベアラの欠乏、および／または、ＱｏＳ要件の変更を考慮し、構成され得る。
【００３１】
具体的には、ＵＥ２０は、２つのタイプのサービス、一方はバックグラウンド・アプリケーションによって生成され（略して「バックグラウンド・サービス」とする）、他方は高優先度アプリケーションによって生成される（たとえば、ビデオ・サービス）、を有すると仮定される。バックグラウンド・サービスは遅延に耐性があり、ビデオ・サービスは厳しい待ち時間要件を有するので、２つの異なるスケジューリング要求トリガが、それぞれ、異なるサービス特性を有するこれらの２つのサービスのために構成される。簡単にするために、以下、バックグラウンド・サービスのために構成されたスケジューリング要求トリガをＲＳ１と呼び、ビデオ・サービスのために構成されたスケジューリング要求トリガをＲＳ０と呼ぶ。
【００３２】
ＲＳ０およびＲＳ１は、バックグラウンド・サービスおよびビデオ・サービスの異なる待ち時間要件のため、異なる伝送タイプを介して送信され得る。
【００３３】
一例では、ＲＳ０およびＲＳ１は、異なるＲＡＣＨ構成を有するＲＡＣＨで送信され得る。ビデオ・サービスが厳しい待ち時間要件を有するとき、ＲＳ０伝送のためのＲＡＣＨ構成は、短いＰＲＡＣＨ周期性および低いアクセス衝突可能性を有し、一方、バックグラウンド・サービスが遅延に耐性があり、緩いＱｏＳ要件を有するとき、ＳＲＩのＲＡＣＨ構成は、長い周期性および高いアクセス衝突可能性を有する。そのＲＡＣＨ構成は、異なる形をとり得る。たとえば、前述のように、ＲＳ０伝送のためのＲＡＣＨ構成は、ＲＳ０が送信されるＲＡＣＨの時間、および／または、周波数リソースと周期性とを備えることができ、ＲＳ１伝送のためのＲＡＣＨ構成は、ＲＳ１が送信されるＲＡＣＨの時間、および／または、周波数リソースと周期性とを備え得る。もう１つの例として、ＲＳ０伝送のためのＲＡＣＨ構成は、ＲＳ０伝送のためのＲＡＣＨのプリアンブルのグループを備えることができ、そして、ＳＲＩ伝送のためのＲＡＣＨ構成は、ＲＳ１伝送のためのＲＡＣＨのプリアンブルのグループを備えることができる。ＲＳ１伝送のためのプリアンブルの数は、バックグラウンド・サービスが緩い待ち時間要件を有し、高い衝突可能性についての耐性を有するという事実により、ＲＳ０伝送のそれよりも少ない。ＲＳ０およびＲＳ１のＲＡＣＨ構成に基づいて、対応するＲＡ−ＲＮＴＩが、ＲＳ０およびＲＳ１のためのＲＡ応答を差別化するために導出され得ることに留意されたい。
【００３４】
別の方法として、ＲＳ０は、ＲＡＣＨで送信することができ、そして、ＲＳ１は、長い周期性と共に構成されたＤ−ＳＲで送信することができる。
【００３５】
２つのタイプのサービスに関するスケジューリング要求トリガ（ＲＳ０およびＲＳ１）の割当て方法ならびにＲＳ０およびＲＳ１のそれぞれの伝送タイプの判定の後に、すべてのこれらの構成情報は、ＢＳ１０によってＵＥ２０に送信される。
【００３６】
ＵＥ２０が、その構成情報、すなわち２つのタイプのサービスに関するスケジューリング要求トリガ（ＲＳ０およびＲＳ１）の割当て方法ならびにＲＳ０およびＲＳ１のそれぞれの伝送タイプ、をＢＳ１０から受信するとき、ＵＥ２０は、この構成情報に基づいて、異なるタイプのサービスのための異なるスケジューリング要求トリガを割り当てることができる。
【００３７】
複数のスケジューリング要求トリガがＵＥ２０のために構成されるので、同時に複数のスケジューリング要求トリガが生じる状況が存在し得る。その解決法は、以下のとおりでもよい。
【００３８】
より高い優先度のスケジューリング要求（たとえば、前述の「ＲＳ０」）がトリガされるとき、より低い優先度のスケジューリング要求のトリガ（たとえば、前述の「ＲＳ１」）は、キャンセルされ得る。
【００３９】
より高い優先度のトリガされたスケジューリング要求（たとえば、前述の「ＲＳ０」）の送信が開始されるとき、より低い優先度のトリガされたスケジューリング要求（たとえば、前述の「ＲＳ１」）のＲＡＣＨでの送信は、継続され得る、または、単にキャンセルされ得る。
【００４０】
前述のシナリオは、ＵＥ２０が２つのタイプのサービスを有するというものである。バックグラウンド・サービスのみが存在するもう１つのシナリオで、ＢＳ１０は、無線／コア・ネットワーク・インターフェースを介して信号伝達オーバヘッドを低減するために、ＲＲＣ接続モードでＵＥ２０を稼働させ続けることができる。バックグラウンド・サービスに対応するスケジューリング要求トリガに関して、ＢＳ１０は、このＳＲ送信のための非常に大きい周期性を有するＤ−ＳＲを構成することができ、または、Ｄ−ＳＲを解放することができる。バックグラウンド・アプリケーションによって生成されたトラフィックの送信に緊急性がなくても、ＲＲＣ接続されたＵＥは、モビリティ・サポートのために、そしてまた厳しい待ち時間要件を有するアプリケーションからのデータの到達時に測定報告を配信するために、そのネットワークへの高速アクセスを必要とすることがあり、そして、これらの種類のサービスのためのＳＲは、ＲＡＣＨで送信され得る。ＲＡ手続きおよびＲＡＣＨ容量は、低い待ち時間要件を満たすために、このシナリオで設計され、したがって、ＲＡアクセスでの衝突の可能性は低く保たれる。加えて、ＲＡＣＨのための物理リソース（時間および／または周波数リソース）が、ＲＡＣＨ機会のためのＵＥの待ち時間を低減するために、頻繁に構成される。
【００４１】
多重ＳＲの使用が利益を生むもう１つの例は、多重サービスを提供するＭＴＣデバイスである。１つのシナリオで、ＭＴＣデバイスは、同時にＴＶチャネルを表示しながら、計器の読取りを実行し得る。そのようなシナリオで、異なるアプリケーションによるＳＲトリガは、高いリソース効率を達成するのに役立つ。
【００４２】
本発明のもう１つの態様では、通信システムの基地局において、ユーザ機器のための複数のスケジューリング要求トリガを構成するための装置が提供され、本装置は、以下を備える。即ち、そのユーザ機器のサービスのサービス特性に基づいて、複数のスケジューリング要求トリガ、および、そのユーザ機器のためのそれらの複数のスケジューリング要求トリガの各々の伝送タイプを判定するための第１のユニットと、それらの複数のスケジューリング要求トリガの構成情報をそのユーザ機器に送信するための第２のユニットであって、それらの複数のスケジューリング要求トリガの構成情報が、そのユーザ機器のサービスに関するそれらの複数のスケジューリング要求トリガの割当て方法、および、それらの複数のスケジューリング要求トリガの各々の伝送タイプを含む、第２のユニットと、を備える。
【００４３】
本発明のもう１つの態様では、通信システムのユーザ機器において、基地局から複数のスケジューリング要求トリガに関連する構成情報を受信するための装置が提供され、本装置は、以下を備える。即ち、その基地局から複数のスケジューリング要求に関する構成情報を受信するための第３のユニットであって、その構成情報が、そのユーザ機器のサービスに関するそれらの複数のスケジューリング要求トリガの割当て方法、および、それらの複数のスケジューリング要求トリガの各々の伝送タイプを含む、第３のユニット、を備える。
【００４４】
前述の実施形態は、本発明を限定するのではなくて説明するために与えられることに留意すべきであり、当業者が容易に理解するように、修正形態および変更形態が、本発明の趣旨および範囲を逸脱することなしに用いられ得ることを理解されたい。そのような修正形態および変更形態は、本発明の範囲および添付の特許請求の範囲内にあると考えられる。本発明の保護範囲は、添付の特許請求の範囲によって定義される。加えて、本特許請求中の参照番号は、本特許請求の限定として解釈されるべきではない。「備える」という動詞およびその活用形の使用は、特許請求で述べられたもの以外の要素またはステップの存在を排除しない。要素またはステップの前に来る不定冠詞「ａ（１つの）」または「ａｎ（１つの）」は、複数のそのような要素またはステップの存在を排除しない。
【図１】
2015514344.tif 000003
【国際調査報告】
2015514344.tif 000004
2015514344.tif 000005
2015514344.tif 000006